(57)【要約】【課題】電磁駆動機構の周波数がサーボ帯域より高くなってレンズホルダが共振しても、レンズ収差を少なくしてピックアップ装置の品質向上を図ることができるピックアップ装置用アクチュエータを提供すること。【解決手段】対物レンズ６の外周縁部６Ａとレンズホルダ４との間に接着剤層１１を形成する。この接着剤層１１は、レンズホルダ４が共振で撓んでも、その撓みを吸収するのに十分な厚さ寸法を有する。電磁駆動機構９が作動する周波数がサーボ帯域より高くなってレンズホルダ４が共振しても、接着剤層１１が緩衝機能を有するので、レンズホルダ４の撓みが対物レンズ６に伝達されることが少なくなる。【選択図】      図３
2004164696.tif 000002
【特許請求の範囲】
【請求項１】
対物レンズの外周縁部が保持されたレンズホルダを電磁駆動機構で移動させるアクチュエータであって、前記対物レンズの外周縁部と前記レンズホルダとの間に接着剤層を形成し、この接着剤層は、前記レンズホルダが共振で撓んでも、その撓みを吸収するのに十分な厚さ寸法を有することを特徴とするピックアップ装置用アクチュエータ。
【請求項２】
請求項１に記載のピックアップ装置用アクチュエータにおいて、
前記対物レンズの外周縁部と前記レンズホルダとの間に前記対物レンズの外周縁部に当接するスペーサを設けたことを特徴とするピックアップ装置用アクチュエータ。
【請求項３】
請求項１又は請求項２に記載のピックアップ装置用アクチュエータにおいて、
前記接着剤層は前記対物レンズの外周縁部と前記レンズホルダとの間に接着剤を充填して形成されることを特徴とするピックアップ装置用アクチュエータ。
【請求項４】
請求項２又は請求項３に記載のピックアップ装置用アクチュエータにおいて、
前記スペーサは前記レンズホルダに一体に形成された突起であることを特徴とするピックアップ装置用アクチュエータ。
【請求項５】
請求項４に記載のピックアップ装置用アクチュエータにおいて、
前記突起は前記対物レンズの周方向に沿って互いに略等間隔に３カ所設けられていることを特徴とするピックアップ装置用アクチュエータ。
【請求項６】
対物レンズの外周縁部が保持されたレンズホルダを電磁駆動機構で移動させるアクチュエータであって、前記対物レンズの外周縁部と前記レンズホルダとの間を所定の間隔をあけて配置し、この間隔に接着剤を設け、次式で求められる前記対物レンズの共振周波数ｆを、前記電磁駆動機構を駆動するために付与する所定サーボ帯域より高く、かつ、前記レンズホルダの共振周波数より低く設定する、
【数１】
2004164696.tif 000010
Ｋは接着剤のばね定数
Ｍは対物レンズの質量
ことを特徴とするピックアップ装置用アクチュエータ。
【発明の詳細な説明】
【０００１】
【発明の属する技術分野】
本発明は、対物レンズが保持されたレンズホルダを移動させるピックアップ装置用アクチュエータに関する。
【０００２】
【従来技術】
ＣＤ（Ｃｏｍｐａｃｔ  Ｄｉｓｃ）やＤＶＤ（Ｄｉｇｉｔａｌ  Ｖｉｄｅｏ  Ｄｉｓｃ）等の光ディスクに情報を記録及び再生するためのディスクドライブ装置は光学式ピックアップ装置を備えて構成されている。
ピックアップ装置は、レーザダイオード等の光源から出射されるレーザ光を、所定の光学系部品により対物レンズへ導き、対物レンズにより光ディスクの情報記録面に照射する。
通常、対物レンズは光ディスクに対向するように配置されており、光源からのレーザ光は、光学系部品により光ディスクと平行な光路に沿って対物レンズの直下まで案内された後、対物レンズの直下に配置された立ち上げミラーにより垂直上方向に進路変更され、対物レンズに至る。
【０００３】
ピックアップ装置は、光ディスクに正確に情報を記録及び再生するため、光ディスクの情報記録面と対物レンズとの距離を制御するフォーカス制御を行うとともに、光ディスクの情報トラックに対して対物レンズを追従制御するトラッキング制御を行う。
フォーカス制御及びトラッキング制御を行うために、対物レンズの略リング状外周縁部を全周にわたりレンズホルダで接着固定し、このレンズホルダを電磁駆動機構でフォーカス制御を行う方向とトラッキング制御を行う方向とに移動させるアクチュエータがピックアップ装置に備えられている。
この電磁駆動機構として、レンズホルダに取り付けられるコイル基板と、このコイル基板に近接配置されたマグネットとを備え、マグネットが形成する磁界内でコイル基板に駆動電流を流すことにより、レンズホルダを光ディスクに対して前述の方向に移動させるものが考えられる。
【０００４】
電磁駆動機構のコイル基板に駆動電流を流し、コイル基板で発生させる電磁波の周波数が所定のサーボ帯域（例えば、０〜５ＫＨｚ）になると、電磁駆動機構が作動してコイル基板とともにレンズホルダが移動する。
このサーボ帯域でレンズホルダが共振するとアクチュエータが動かなくなる不具合が生じる虞れがあるため、レンズホルダ、コイル等の可動部分の共振周波数をサーボ帯域より高く設定する必要がある。
【０００５】
【発明が解決しようとする課題】
光ディスクには、その成形精度に起因して表面に微小な凹凸が存在する。そのため、フォーカスサーボ制御をすると、光ディスクの面ぶれのみならず、フォーカスエラー信号は凹凸にも追従し、高い周波数も発生する。フォーカスエラー信号の周波数成分の一部がレンズホルダの共振周波数と一致すると、レンズホルダが共振することになり、その結果、レンズホルダが撓み、その力が対物レンズに伝わって光学的な収差が生じるという課題がある。
つまり、対物レンズは、その略リング状外周縁部の全周がレンズホルダに対して薄い接着層を介して強固に接着固定されているため、共振に伴うレンズホルダの撓みがそのまま対物レンズに伝達されることになり、レンズ収差が生じてピックアップ装置の品質を低下させてしまう虞れがある。
【０００６】
ここで、光ディスクから情報を読み取る際に、装置として反応すれば良い周波数帯域はサーボ帯域であり、それ以上の帯域までピックアップ装置を反応させなくても十分に読み取りは可能である。
望むサーボ帯域である０〜５ＫＨｚをエラー信号として抜き取るローパスフィルタを設計することを考えられるが、急峻な帯域特性を有するフィルタを設計することは困難である。そのため、電磁駆動機構系の周波数は、０〜５ＫＨｚを通過させ、それより高い周波数ではなだらかに徐々に減衰する特性となる。このサーボ帯域を越えた周波数がレンズホルダの共振周波数に一致することもあり、この場合、前述のレンズホルダの撓みが発生する。
【０００７】
本発明の目的は、電磁駆動機構の周波数がサーボ帯域より高くなってレンズホルダが共振しても、レンズ収差を少なくしてピックアップ装置の品質向上を図ることができるピックアップ装置用アクチュエータを提供することにある。
【０００８】
【課題を解決するための手段】
請求項１に記載のピックアップ装置用アクチュエータは、対物レンズの外周縁部が保持されたレンズホルダを電磁駆動機構で移動させるアクチュエータであって、前記対物レンズの外周縁部と前記レンズホルダとの間に接着剤層を形成し、この接着剤層は、前記レンズホルダが共振で撓んでも、その撓みを吸収するのに十分な厚さ寸法を有することを特徴とする。
【０００９】
請求項６に記載のピックアップ装置用アクチュエータは、対物レンズの外周縁部が保持されたレンズホルダを電磁駆動機構で移動させるアクチュエータであって、前記対物レンズの外周縁部と前記レンズホルダとの間を所定の間隔をあけて配置し、この間隔に接着剤を設け、次式で求められる前記対物レンズの共振周波数ｆを、前記電磁駆動機構を駆動するために付与する所定サーボ帯域より高く、かつ、前記レンズホルダの共振周波数より低く設定する、
【００１０】
【数２】
2004164696.tif 000003
【００１１】
Ｋは接着剤のばね定数
Ｍは対物レンズの質量
ことを特徴とする。
【００１２】
【発明の実施の形態】
以下、本発明の実施形態を図面に基づいて説明する。ここで、各実施形態中、同一構成要素は同一符号を付して説明を省略若しくは簡略にする。
［第１実施形態］
〔ピックアップ装置の構造〕
図１は、第１実施形態のアクチュエータが適用されたピックアップ装置の全体を示す平面図であり、図２は、その斜視図である。
【００１３】
図１及び図２において、ピックアップ装置は、ボディ１を備え、このボディ１には、アクチュエータベース２が固定されている。このアクチュエータベース２は４本（図中２本のみ示す）のサスペンションワイヤ３により合成樹脂製のレンズホルダ４をフォーカス方向Ｆ及びトラッキング方向Ｔに移動可能に支持している（図２参照）。
レンズホルダ４の側面にはコイル基板５Ａ，５Ｂが取り付けられており、その上面には対物レンズ６が取り付けられている。
【００１４】
レンズホルダ４に取り付けられた一対のコイル基板５Ａ，５Ｂとそれぞれ対向するように、マグネット７Ａ，７Ｂがボディ１に固定されている。
一対のマグネット７Ａ，７Ｂは、相互に対向する位置に固定されており、各マグネット７Ａ，７Ｂの着磁パターンに従って、それらの間の空間に磁界が形成される。
コイル基板５Ａ，５Ｂが側面に取り付けられたレンズホルダ４は、一対のマグネット７Ａ，７Ｂにより形成される磁界内に配置される。そのため、コイル基板５Ａ，５Ｂに形成されたフォーカスコイル及びトラッキングコイルに所定のサーボ帯域（例えば、０〜５ＫＨｚ）の周波数となる駆動電流を通電すると、コイル内の電流と磁界とにより生じる力により、レンズホルダ４は対物レンズ６とともにフォーカス方向Ｆ及びトラッキング方向Ｔに移動する。
【００１５】
ボディ１の端部にはレーザ光源８が取り付けられている。レーザ光源８から出射されたレーザ光は、ボディ１内に配置された光学系により構成される光路１Ａを通って対物レンズ６の下方に至る。対物レンズ６の下方には立ち上げミラー（図示せず）が配置されており、レーザ光は立ち上げミラーにより上方へ進路変更されて対物レンズ６を下から上へと通過する。対物レンズ６の上方には図示しない光ディスクが配置され、対物レンズ６はレーザ光を光ディスクの情報記録面に集光する。
【００１６】
〔アクチュエータの構造〕
第１実施形態では、一対のコイル基板５Ａ，５Ｂ及び一対のマグネット７Ａ，７Ｂを備えて対物レンズ６をフォーカス方向Ｆ及びトラッキング方向Ｔに移動させる所定の電磁駆動機構９が構成されている。この電磁駆動機構９と、アクチュエータベース２と、レンズホルダ４とを備えてアクチュエータ１０が構成されている。
コイル基板５Ａ，５Ｂは、それぞれプリント基板であり、その基板面上に図示しないトラッキングコイルとフォーカスコイルとがそれぞれ形成されている。コイル基板５Ａ上には、対向配置されるコイル基板５Ｂとの導通のための図示しないランドが形成されている。
レンズホルダ４の側面に取り付けられた状態では、コイル基板５Ａのフォーカスコイルとコイル基板５Ｂのフォーカスコイルとが相互にほぼ対向する。
【００１７】
〔レンズホルダの構造〕
図３にはレンズホルダ４の詳細な構成が示されている。
図３において、レンズホルダ４には対物レンズ６を取り付けるための平面円形の取付孔４Ａが形成されており、この取付孔４Ａは、レンズホルダ４の重心よりも光路側にシフトして設けられている。
レンズホルダ４を支持する２本のサスペンションワイヤ３のレンズホルダ４への固定位置の中点は、レンズホルダ４の重心とほぼ一致する。
【００１８】
レンズホルダ４にはストッパ部４Ｂ，４Ｃ，４Ｄが一体に設けられている。ストッパ部４Ｂ，４Ｃ，４Ｄは、フォーカス方向Ｆ及びトラッキング方向Ｔにおけるレンズホルダ４のストローク（可動範囲）を制限するものである。これにより、フォーカスサーボやトラッキングサーボが誤動作を生じた際、レンズホルダ４が移動してボディ１や他の部材に衝突して、レンズホルダ４自身や対物レンズ６等に損傷を生じることが防止される。
ストッパ部４Ｂはフォーカス方向のストッパとトラッキング方向のストッパの両方の機能を兼備している。
【００１９】
図４には取付孔４Ａの周辺の構成が詳細に示されている。
図４において、レンズホルダ４は取付孔４Ａの周縁に対物レンズ６の外周縁部６Ａ（図５参照）と対向するレンズ取付面４Ｅが略リング状に形成されており、このレンズ取付面４Ｅはレンズホルダ４の平面よりも所定寸法だけ低く形成されている。
レンズ取付面４Ｅにはスペーサとしての突起４Ｆが対物レンズ６の周方向に沿って互いに略等間隔に３カ所設けられている。この突起４Ｆはレンズホルダ４に一体に形成される短寸円柱状部材である。
【００２０】
これらの突起４Ｆの取付孔４Ａを挟んで対向する位置にそれぞれ対物レンズ６を係止するための係止用突起部４Ｇがレンズ取付面４Ｅの外周縁に形成されている。
突起４Ｆの近傍には接着剤をレンズ取付面４Ｅに導入するための案内部４Ｈがレンズホルダ４に一体形成されている。
この案内部４Ｈは接着剤射出ノズル（図示せず）が対向する位置に形成されており、接着剤射出ノズルから射出された接着剤が外周方向に飛び散らないように平面半円弧状の起立部を備えている。
係止用突起部４Ｇ及び案内部４Ｈは、それぞれ対物レンズ６をレンズ取付面４Ｅ上に案内するためのガイド面４Ｉが角部に形成されている。
【００２１】
〔対物レンズの取付構造〕
図５には対物レンズ６がレンズホルダ４に取り付けられた状態が示されている。
図５において、対物レンズ６は、外周部に形成されたリング状の外周縁部６Ａと、この外周縁部６Ａの中心部に一体形成された凸状のレンズ本体６Ｂとを備えて構成されており、その材質は合成樹脂、ガラス等の適宜な材料からなる。
外周縁部６Ａは突起４Ｆの先端部に当接されており、この突起４Ｆと当接されていない外周縁部６Ａの部分とレンズ取付面４Ｅとの間には接着剤層１１が突起４Ｆの高さ寸法Ｄと同じ厚さで形成されている。本実施形態では、接着剤層１１の厚み寸法（突起４Ｆの高さ寸法Ｄ）はレンズホルダ４が共振で撓んでも、その撓みを吸収するのに十分な厚さ寸法であり、具体的には１００μｍ程度である。なお、接着剤層１１の厚み寸法は１００μｍ以上であってもよい。
この接着剤層１１は紫外線で硬化するＵＶ接着剤からなり、電子部品の接着等で利用される種々のものを選択できる。種々の接着剤のうち、本実施形態では、柔軟性のある接着剤が好ましい。
【００２２】
〔対物レンズの取付方法〕
予め射出成形で形成されたレンズホルダ４の突起４Ｆの上に対物レンズ６を載置し、案内部４Ｈに向けて接着剤を塗布する。
すると、接着剤は対物レンズ６の外周縁部６Ａとレンズ取付面４Ｅとの間を埋める。これにより、接着剤で対物レンズ６の外周縁部６Ａとレンズ取付面４Ｅとの間が接着固定される。
なお、この手順とは異なり、レンズ取付面４Ｅの上に接着剤を塗布し、その上から対物レンズ６を載置する方法を採用してもよい。
【００２３】
〔第１実施形態の効果〕
（１）第１実施形態によれば、対物レンズ６の外周縁部６Ａが保持されたレンズホルダ４を電磁駆動機構９で移動させるアクチュエータ１０であって、対物レンズ６の外周縁部６Ａとレンズホルダ４との間に接着剤層１１を形成し、この接着剤層１１は、レンズホルダ４が共振で撓んでも、その撓みを吸収するのに十分な厚さ寸法を有する構成としたので、電磁駆動機構９が作動する周波数がサーボ帯域より高くなってレンズホルダ４が共振しても、接着剤層１１が緩衝機能を有するので、レンズホルダ４の撓みが対物レンズ６に伝達されることが少なくなる。つまり、接着剤層１１は、その厚み寸法に比例して大きな弾性機能を有することになるので、レンズホルダ４が撓んでも、その撓みを接着剤層１１で吸収することで、撓みが対物レンズ６に伝達されることが少なくなる。そのため、対物レンズ６の変位が少ないので、レンズ収差が少なくなり、ピックアップ装置の品質向上を図ることができる。
【００２４】
（２）対物レンズ６の外周縁部６Ａとレンズホルダ４との間に対物レンズ６の外周縁部６Ａに当接するスペーサを設けたので、このスペーサによって、接着剤層１１の必要な厚み寸法を簡単に確保することがきる。そのため、ピックアップ装置用アクチュエータの製造が容易となる。
（３）接着剤層１１は対物レンズ６の外周縁部６Ａとレンズホルダ４との間に接着剤を充填して形成されるので、対物レンズ６の全周に渡って接着剤層１１を容易に形成することができる。
【００２５】
（４）スペーサはレンズホルダ４に一体に形成された突起４Ｆとしたので、スペーサを容易に成形することができ、アクチュエータ１０の構造を簡易なものにできる。
（５）突起４Ｆは対物レンズ６の周方向に沿って互いに略等間隔に３カ所設けられているので、突起４Ｆの上に対物レンズ６を載置した際に設置姿勢が安定する。そのため、対物レンズ６のレンズホルダ４に対する位置決めが容易となり、この点からも、ピックアップ装置の品質向上を図ることができる。
【００２６】
（６）対物レンズ６を係止するための係止用突起部４Ｇがレンズ取付面４Ｅの外周縁に形成されているので、対物レンズ６の装着に際して、対物レンズ６がレンズ取付面４Ｅからずれることを防止できる。
（７）接着剤をレンズ取付面４Ｅに導入するための案内部４Ｈがレンズホルダ４に形成されているので、接着剤を充填するに際して、接着剤が飛び散ることを防止できる。
（８）これらの係止用突起部４Ｇ及び案内部４Ｈは、それぞれ対物レンズ６をレンズ取付面４Ｅ上に案内するためのガイド面４Ｉが角部に形成されているので、対物レンズ６を装着する際に、対物レンズ６をレンズ取付面４Ｅに円滑に案内することができる。
【００２７】
［第２実施形態］
次に、本発明の第２実施形態を図６に基づいて説明する。第２実施形態は対物レンズ６の取付構造が第１実施形態とは異なるもので、他の構造は第１実施形態と同じである。
第２実施形態では、ピックアップ装置及びアクチュエータの構造は図１及び図２で示される第１実施形態と同じであり、レンズホルダ４は突起４Ｆがない他は第１実施形態と同じである。
【００２８】
図６は図５に対応する図であり、この図６において、第２実施形態では、対物レンズ６の外周縁部６Ａとレンズ取付面４Ｅとを所定の間隔Ｔをあけて配置し、この間隔Ｔに接着剤層１１が形成されている。
第２実施形態では、数３の式で求められる対物レンズ６の共振周波数ｆを、電磁駆動機構９を駆動するために付与する所定サーボ帯域の周波数（０〜５ＫＨｚ）より高く、かつ、レンズホルダ４の共振周波数（例えば、１５ＫＨｚ）より低く設定する。一般的に、物と物の伝達係数は、その両者の共振周波数でゲインが最大となり、その共振周波数を超えた周波数ではゲインは徐々に低下していく。そのため、レンズホルダ４の共振周波数付近では対物レンズ６の共振周波数を越えており、ゲインが小さくなっており、レンズホルダ４の共振の影響を小さくすることができる。
ここで、レンズホルダ４の共振周波数とは、レンズホルダ４自体のみならず、レンズホルダ４の回りの部材を含めた可動部分の共振周波数である。さらに、対物レンズ６の共振周波数ｆはレンズホルダ４に対する共振周波数であり、この共振周波数ｆは接着剤層１１の強度や接着面積等に起因して決定される。
【００２９】
【数３】
2004164696.tif 000004
【００３０】
ここで、Ｋは接着剤のばね定数であり、Ｍは対物レンズ６の質量である。
接着剤層１１の断面積をＡ、荷重をＦ、縮み量（変位）をｘとすると、接着剤層１１の厚みがＴであるため、接着剤のヤング率Ｅは数４の式で求められる。
【００３１】
【数４】
2004164696.tif 000005
【００３２】
また、フックの法則により、荷重Ｆは縮み量（変位）ｘとばね定数ｋとの間で数５の式で示される関係にある。
【００３３】
【数５】
2004164696.tif 000006
【００３４】
数４で示される式と数５で示される式とから、ばね定数ｋは数６の式に展開される。
【００３５】
【数６】
2004164696.tif 000007
【００３６】
数６の式を数３の式に当てはめると、数７の式となる。
【００３７】
【数７】
2004164696.tif 000008
【００３８】
ここで、図６で示される通り、接着剤層１１の外周径であって対物レンズ６の外周縁と一致する寸法をＬ１とし、接着剤層１１の内周径寸法をＬ２とすると、数８の式で断面積Ａが求められる。
【００３９】
【数８】
2004164696.tif 000009
【００４０】
また、接着剤層１１の厚み寸法Ｔ及び対物レンズ６の質量ｍは求められるものであり、接着剤のヤング率は接着剤の材料によって一義的に決定されるため、本実施形態では共振周波数ｆを求めることができる。
例えば、接着剤として協立化学産業社製のワードロック８８０１（商品名）を使用すると、この接着剤のヤング率は９２６０００ｇ／ｃｍ２である。
合成樹脂製の対物レンズ６の質量ｍを０．１ｇとし、接着剤層１１の厚みＴを０．０１ｃｍとし、Ｌ１を０．６ｃｍ、Ｌ２を０．４ｃｍとすると、共振周波数ｆは約１２ｋＨｚとなる。
【００４１】
〔第２実施形態の効果〕
第２実施形態によれば、第１実施形態の（６）〜（８）と同様の作用効果を奏することができる他に、次の作用効果を奏することができる。
（９）対物レンズ６の外周縁部６Ａが保持されたレンズホルダ４を電磁駆動機構９で移動させるアクチュエータ１０であって、対物レンズ６の外周縁部６Ａとレンズホルダ４との間を所定の間隔をあけて配置し、この間隔に接着剤を設けて接着剤層１１を形成し、数１の次式で求められる対物レンズ６の共振周波数ｆを、フォーカシング制御用として電磁駆動機構９を駆動するために付与する所定サーボ帯域の周波数０〜５ｋＨｚより高く、かつ、レンズホルダ４の共振周波数１５ｋＨｚより低い１２ｋＨｚに設定したので、電磁駆動機構９の周波数がサーボ帯域より高くなってレンズホルダ４の共振周波数１５ＫＨｚとなっても、この共振周波数は対物レンズ６の共振周波数１２ＫＨｚより高いため、ゲインが低く共振の影響を小さくすることができる。そのため、レンズ収差が少なくなり、ピックアップ装置の品質向上を図ることができる。
【００４２】
〔実施形態の変形〕
なお、本発明は、上述した一実施形態に限定されるものではなく、本発明の目的を達成できる範囲で以下に示される変形をも含むものである。
例えば、前記各実施形態では、対物レンズ６を係止するための係止用突起部４Ｇをレンズ取付面４Ｅの外周縁に形成し、さらに、案内部４Ｈをレンズホルダ４に形成したが、本発明では、係止用突起部４Ｇや案内部４Ｈを省略し、レンズホルダ４の上面を平面に形成してもよい。
【００４３】
また、電磁駆動機構９の構成は前記各実施形態に限定されるものではなく、例えば、コイル基板５Ａ，５Ｂをプリント基板で形成するものではなく、螺旋状のコイルから形成するものでもよい。
さらに、前記各実施形態において、接着剤層１１を対物レンズ６の外周縁部６Ａとレンズホルダ４との間に接着剤を充填して対物レンズ６の全周に渡って形成したが、本発明では一部のみ形成するものでもよい。例えば、第１実施形態において、突起４Ｆ近傍のみに接着剤層１１を形成するものでもよい。
【００４４】
また、第１実施形態では、対物レンズ６の外周縁部６Ａとレンズホルダ４との間に対物レンズ６の外周縁部６Ａに当接するスペーサを設けたが、本発明では、スペーサを省略してもよい。つまり、第１実施形態では、スペーサとしての突起６Ｆをなくし、レンズホルダ４に対して対物レンズ６を完全に非接触としてもよい。この場合、製造時には対物レンズ６を治具等によりレンズホルダ４から浮かせた状態で接着剤により固定すればよい。
【００４５】
さらに、第１実施形態では、スペーサをレンズホルダ４に一体に形成された突起４Ｆとしたが、本発明では、スペーサをレンズホルダ４とは別体に設けられた部材であってもよく、対物レンズ６の外周縁部６Ａに一体に形成された突起でもよい。
仮に、スペーサをレンズホルダ４に一体に形成された突起４Ｆとしても、その数は３個に限定されるものではなく、１個、２個、４個以上の複数個であってもよい。さらに、突起４Ｆを複数とした場合、これらの突起４Ｆ同士は略等間隔に配置するものに限定されず、所定箇所に集中するものでもよい。
その上、突起４Ｆを短寸円柱状に形成したが、四角柱状や三角柱状等の多角柱状に形成してもよく、円錐状や角錐状に形成してもよい。
【００４６】
また、第１実施形態では、対物レンズ６の外周縁部６Ａとレンズホルダ４との接着剤層１１を介して互いに固定する構成としたが、本発明では、対物レンズ６の外周縁部６Ａとレンズホルダ４とが厳密な意味での固定関係にある必要はなく、互いに接着されていればよい。
さらに、第１実施形態と第２実施形態とを組み合わせたものでもよい。つまり、第２実施形態において、スペーサとしての突起を設けるものであってもよい。
【図面の簡単な説明】
【図１】本発明の第１実施形態のピックアップ装置用アクチュエータが適用されたピックアップ装置の全体を示す平面図である。
【図２】前記ピックアップ装置用アクチュエータの斜視図である。
【図３】レンズホルダの詳細な構成を示す斜視図である。
【図４】取付孔の周辺の構成を詳細に示すレンズホルダの要部斜視図である。
【図５】対物レンズがレンズホルダに取り付けられた状態を示す断面図である。
【図６】本発明の第２実施形態を示すもので図５に相当する図である。
【符号の説明】
４      レンズホルダ
４Ａ      取付孔
４Ｅ      レンズ取付面
４Ｆ      突起（スペーサ）
６      対物レンズ
６Ａ      外周縁部
６Ｂ      レンズ本体
９      電磁駆動機構
１０      ピックアップ装置用アクチュエータ
１１      接着剤層
【図１】
2004164696.tif 000011
【図２】
2004164696.tif 000012
【図３】
2004164696.tif 000013
【図４】
2004164696.tif 000014
【図５】
2004164696.tif 000015
【図６】
2004164696.tif 000016